(57)【要約】【課題】保健指導の予約または受付処理における事務作業の負担を軽減することが可能な保健指導支援装置等を提供する。【解決手段】  保健指導支援システム１において、保健指導支援システムサーバ７及び保健指導クライアント８は、対象者の属性や保険者の定める契約内容による保健指導の条件（属性条件）や、保健指導を行う施設等で独自に定める検査値基準（健診結果条件）等の設定を受け付ける。また、保健指導支援システムサーバ７及び保健指導クライアント８は、健診データベースサーバ４にすでに登録されている健診者の属性情報や健診結果情報を取得し、設定された受診資格条件（属性条件、健診結果条件）に基づいて、各健診者の受診資格の有無を判定する。更に、所望の検索条件や表示条件を入力可能とし、これらの条件に基づく対象者の絞込み（フィルタ処理）を行って、受診資格を有する対象者を検索しやすくする。【選択図】図１１
2010191501.tif 000002
【特許請求の範囲】
【請求項１】
保健指導の予約、受付、または指導の実施に関する情報を管理する保健指導支援装置であって、
健診を受けた健診者のうち、所定の認定基準に基づいて特定保健指導レベルが認定された対象者についての属性情報、健診結果情報、及び保健指導レベル情報を取得するデータ取得手段と、
保健指導の受診資格に関する条件を設定する受診資格条件設定手段と、
前記受診資格条件設定手段により設定された条件と、前記データ取得手段により取得した属性情報、健診結果情報、または保健指導レベル情報とを照合し、各対象者についての保健指導の受診資格の有無を判定する判定手段と、
前記判定手段により受診資格があると判定された対象者について、予約処理を受け付ける予約処理手段と、
を備えることを特徴とする保健指導支援装置。
【請求項２】
前記受診資格条件設定手段において設定される条件は、前記対象者の属性または保険者との契約内容に関する条件であることを特徴とする請求項１に記載の保健指導支援装置。
【請求項３】
前記受診資格条件設定手段において設定される条件は、前記健診結果情報に関するものであり、前記保健指導レベル情報を認定するための認定基準とは異なる検査値基準であることを特徴とする請求項１に記載の保健指導支援装置。
【請求項４】
前記受診資格条件設定手段において設定される条件は、前記対象者の保健指導の受診履歴に関する条件であることを特徴とする請求項１に記載の保健指導支援装置。
【請求項５】
前記対象者を一覧表示する際に、前記判定手段により受診資格が無いと判定された対象者を識別表示する第１の表示手段を更に備えることを特徴とする請求項１に記載の保健指導支援装置。
【請求項６】
前記判定手段により受診資格があると判定された対象者のみを一覧表示する第２の表示手段を更に備えることを特徴とする請求項１に記載の保健指導支援装置。
【請求項７】
前記対象者についての、予約、受付、または指導の実施状況を示すステータス情報を設定するステータス設定手段と、
前記ステータス設定手段により未予約と設定された対象者のみを一覧表示する第３の表示手段と、
を更に備えることを特徴とする請求項１に記載の保健指導支援装置。
【請求項８】
保健指導の予約、受付、または指導の実施情報を管理する保健指導支援サーバと、保健指導支援サーバにネットワークを介して接続された複数の保健指導クライアントと、保健指導支援サーバにネットワークを介して接続され、健診者の属性情報、健診結果情報、及び保健指導レベル情報を格納する健診データベースと、からなる保健指導支援システムであって、
前記保健指導支援サーバは、
健診を受けた健診者のうち、所定の認定基準に基づいて特定保健指導レベルが認定された対象者についての属性情報、健診結果情報、及び保健指導レベル情報を前記健診システムから取得するデータ取得手段を備え、
前記保健指導クライアントは、
保健指導の受診資格に関する条件を設定し、前記保健指導支援サーバに送信する受診資格条件設定・送信手段を備え、
前記保健指導支援サーバは、
前記受診資格条件設定・送信手段により設定された条件と、前記データ取得手段により取得した属性情報、健診結果情報、または保健指導レベル情報とを照合し、各対象者についての保健指導の受診資格の有無を判定する判定手段と、
前記判定手段による判定結果または受診資格を有すると判定された対象者についての情報を前記保健指導クライアントに送信する送信手段と、を備え、
前記保健指導クライアントは、
前記判定手段による判定結果または受診資格があると判定された対象者についての情報を前記保健指導支援サーバから受信し、予約処理を受け付ける予約処理手段を備えることを特徴とする保健指導支援システム。
【請求項９】
保健指導についての予約処理方法であって、
健診を受けた健診者のうち、所定の認定基準に基づいて特定保健指導レベルが認定された対象者についての属性情報、健診結果情報、及び保健指導レベル情報を取得するデータ取得ステップと、
保健指導の受診資格に関する条件を設定する受診資格条件設定ステップと、
前記受診資格条件設定ステップにより設定された条件と、前記データ取得ステップにより取得した属性情報、健診結果情報、または保健指導レベル情報とを照合し、各対象者についての保健指導の受診資格の有無を判定する判定ステップと、
前記判定ステップにより受診資格があると判定された対象者について、予約処理を受け付ける予約処理ステップと、
を含むことを特徴とする予約処理方法。
【請求項１０】
コンピュータを請求項１に記載の保健指導支援装置として機能させるためのプログラム。
【発明の詳細な説明】
【技術分野】
【０００１】
本発明は、特定保健指導の予約登録処理を行う保健指導支援システム等に関する。
【背景技術】
【０００２】
保健師等は、健康診断の受診者である健診者に対して、より健康的な生活を送るための保健指導を行っている。保健指導は、予め行われる健診や問診の結果が所定の基準を超えている健診者を対象に行われるものである。また、保健指導の必要性に応じて、「積極的支援」、「動機付け支援」等のように適切な保健指導レベルに階層化される。このように特定保健指導対象者として認定された者（以下、対象者）についての健診結果情報や健診者属性情報は、上述の階層化情報（保健指導レベル）とともに健診システムに登録される。健診システムでは、健診情報の管理、指導情報の管理、レセプト情報の管理等が行われる。
【０００３】
また、このような健診システムと連携して保健指導を支援する仕組みとして、特許文献１がある。特許文献１では、健診情報、指導情報、レセプト情報から項目条件を組み合わせて得られた群毎に指導効果を時系列的に算出し、個人に適した指導方法を決定する手法が開示されている。
【先行技術文献】
【特許文献】
【０００４】
【特許文献１】特開２００７−２５７５６５号公報
【発明の概要】
【発明が解決しようとする課題】
【０００５】
ところで、実際の運用では、上述の保健指導が全ての対象者に対して実施されるわけではない。例えば、保険者の提示する条件で対象者を絞り込んだり、健診施設側の独自の基準で対象者を決定したりするなど、保健指導に要する費用、施設の検査負担とのバランスをとりながら、保健指導の実効性を高める努力が図られている。そのため、対象者について様々な条件や基準が設定されることとなり、保健指導の受診受付（予約）に際して、それらの条件や規準を記した複数の帳票等を確認する必要が生じ、業務が非常に煩雑化するという問題があった。特に、健診当日に保健指導の受診を希望する対象者も多く、この場合は、受付（予約）を更に迅速かつ正確に行う必要があった。
【０００６】
本発明は、前述した問題点に鑑みてなされたもので、その目的とすることは、保健指導の予約または受付処理における事務作業の負担を軽減することが可能な保健指導支援システム等を提供することである。
【課題を解決するための手段】
【０００７】
前述した目的を達成するために、本発明の第１の発明は、保健指導の予約、受付、または指導の実施に関する情報を管理する保健指導支援装置であって、健診を受けた健診者のうち、所定の認定基準に基づいて特定保健指導レベルが認定された対象者についての属性情報、健診結果情報、及び保健指導レベル情報を取得するデータ取得手段と、保健指導の受診資格に関する条件を設定する受診資格条件設定手段と、前記受診資格条件設定手段により設定された条件と、前記データ取得手段により取得した属性情報、健診結果情報、または保健指導レベル情報とを照合し、各対象者についての保健指導の受診資格の有無を判定する判定手段と、前記判定手段により受診資格があると判定された対象者について、予約処理を受け付ける予約処理手段と、を備えることを特徴とする保健指導支援装置である。
【０００８】
ここで、前記受診資格条件設定手段において設定される条件は、前記対象者の属性または保険者との契約内容に関する条件であることが望ましい。
【０００９】
また、前記受診資格条件設定手段において設定される条件は、前記健診結果情報に関するものであり、前記保健指導レベル情報を認定するための認定基準とは異なる検査値基準であることが望ましい。
【００１０】
また、前記受診資格条件設定手段において設定される条件は、前記対象者の保健指導の受診履歴に関する条件であることが望ましい。
【００１１】
また、前記対象者を一覧表示する際に、前記判定手段により受診資格が無いと判定された対象者を識別表示する第１の表示手段を更に備えることが望ましい。
【００１２】
また、前記判定手段により受診資格があると判定された対象者のみを一覧表示する第２の表示手段を更に備えることが望ましい。
【００１３】
また、前記対象者についての、予約、受付、または指導の実施状況を示すステータス情報を設定するステータス設定手段と、前記ステータス設定手段により未予約と設定された対象者のみを一覧表示する第３の表示手段と、を更に備えることが望ましい。
【００１４】
第２の発明は、保健指導の予約、受付、または指導の実施情報を管理する保健指導支援サーバと、保健指導支援サーバにネットワークを介して接続された複数の保健指導クライアントと、保健指導支援サーバにネットワークを介して接続され、健診者の属性情報、健診結果情報、及び保健指導レベル情報を格納する健診データベースと、からなる保健指導支援システムであって、前記保健指導支援サーバは、健診を受けた健診者のうち、所定の認定基準に基づいて特定保健指導レベルが認定された対象者についての属性情報、健診結果情報、及び保健指導レベル情報を前記健診データベースから取得するデータ取得手段を備え、前記保健指導クライアントは、保健指導の受診資格に関する条件を設定し、前記保健指導支援サーバに送信する受診資格条件設定・送信手段を備え、前記保健指導支援サーバは、前記受診資格条件設定・送信手段により設定された条件と、前記データ取得手段により取得した属性情報、健診結果情報、または保健指導レベル情報とを照合し、各対象者についての保健指導の受診資格の有無を判定する判定手段と、前記判定手段による判定結果または受診資格を有すると判定された対象者についての情報を前記保健指導クライアントに送信する送信手段と、を備え、前記保健指導クライアントは、前記判定手段による判定結果または受診資格があると判定された対象者についての情報を前記保健指導支援サーバから受信し、予約処理を受け付ける予約処理手段を備えることを特徴とする保健指導支援システムである。
【００１５】
第３の発明は、保健指導についての予約処理方法であって、健診を受けた健診者のうち、所定の認定基準に基づいて特定保健指導レベルが認定された対象者についての属性情報、健診結果情報、及び保健指導レベル情報を取得するデータ取得ステップと、保健指導の受診資格に関する条件を設定する受診資格条件設定ステップと、前記受診資格条件設定ステップにより設定された条件と、前記データ取得ステップにより取得した属性情報、健診結果情報、または保健指導レベル情報とを照合し、各対象者についての保健指導の受診資格の有無を判定する判定ステップと、前記判定ステップにより受診資格があると判定された対象者について、予約処理を受け付ける予約処理ステップと、を含むことを特徴とする予約処理方法である。
【００１６】
第４の発明は、コンピュータを第１の発明の保健指導支援装置として機能させるためのプログラムである。
【発明の効果】
【００１７】
本発明の保健指導支援システム等により、保健指導の予約または受付処理における事務作業の負担を軽減できる。
【図面の簡単な説明】
【００１８】
【図１】保健指導支援システム１の概略構成を示す図
【図２】保険者属性テーブル１１に係るデータの一例を示す図
【図３】保険者登録画面２１の一例を示す図
【図４】受診資格テーブル１２に係るデータの一例を示す図
【図５】受診資格設定画面２２の一例を示す図
【図６】健診結果条件テーブル１３に係るデータの一例を示す図
【図７】健診結果条件設定画面２３の一例を示す図
【図８】健診者属性テーブル１４に係るデータの一例を示す図
【図９】健診者結果テーブル１５に係るデータの一例を示す図
【図１０】受診資格判定テーブル１６に係るデータの一例を示す図
【図１１】予約登録処理の流れを説明するフローチャート
【図１２】保健指導対象者表示画面２４の一例を示す図
【図１３】予約登録画面２５の一例を示す図
【図１４】目標設定画面２６の一例を示す図
【発明を実施するための形態】
【００１９】
以下図面に基づいて、本発明の実施形態を詳細に説明する。
【００２０】
まず、図１を参照しながら、本発明の保健指導支援システムの概略構成について説明する。図１は、保健指導支援システム１の概略構成を示す図である。図１に示すように、保健指導支援システム１は、保健指導支援システムサーバ７、保健指導クライアント８、及びプリンタ９等から構成されるネットワーク１０と、健診システムサーバ３、データベースサーバ４、及び健診クライアント５等から構成されるネットワーク６とが、互いにアクセス可能に接続されて構成される。これらの装置群からなる保健指導支援システム１は、例えば健診施設２等に設置される。
【００２１】
本発明の保健指導支援システム１において、保健指導支援システムサーバ７及び保健指導クライアント８は、ネットワーク６を介して、互いにデータを送受信する。また、後述する保健指導の予約登録処理（図１１参照）や、保健指導に関するデータ（例えば、保健指導の計画表出力等）の処理機能を提供する。
【００２２】
ここで、「予約」とは、事前に対象者の受付登録を行うことであり、「受付」とは、指導の当日に対象者の受付登録を行うことであるが、以下の説明では単に「予約」という場合は、「受付」の意味を含むものとする。
【００２３】
保健指導の予約登録処理において、保健指導支援システムサーバ７及び保健指導クライアント８は、保険者や健診施設の定める保健指導の受診資格条件の設定を受け付ける。また、保健指導支援システムサーバ７及び保健指導クライアント８は、データベースサーバ４にすでに登録されている健診者の属性情報や健診結果情報、保健指導レベルの階層化情報を取得し、設定された受診資格条件に基づいて、特定保健指導対象者（以下、対象者という）の絞込み（フィルタ処理）を行い、絞り込み結果を表示し、受診資格を有する対象について、予約処理を受け付ける。
【００２４】
健診システムサーバ３、データベースサーバ４、健診クライアント５は、ネットワーク６を介して、互いにデータを送受信する。これらのサーバおよびクライアントに係る装置群は、健診者の検査結果の入力機能、入力された検査結果に基づく保健指導対象者の抽出及び階層化機能等を有し、抽出及び階層化した保健指導対象者に関する健診者属性情報や健診結果情報等を、保健指導システムサーバ７へ出力する。なお、健診システムサーバ３側の有する保健指導対象者の抽出及び階層化機能では、原則的な基準で対象者の抽出及び階層化が行われる。
【００２５】
ネットワーク６とネットワーク１０とは、例えば、同一のＬＡＮ（Ｌｏｃａｌ  Ａｒｅａ  Ｎｅｔｗｏｒｋ）として構成されても良い。また、例えば、外部ネットワーク（例えば、インターネット）を介して接続されても良い。更に、健診システムサーバ３、データベースサーバ４、保健指導支援システムサーバ７などのサーバ群が同一のネットワークに配置され、インターネットを介して、健診クライアント５、保健指導クライアント８などのクライアント群が接続されても良い。このように、本発明の実施形態に係る保健指導支援システム１では、ネットワークの形態を問わない。
【００２６】
健診システムサーバ３、データベースサーバ４、健診クライアント５、保健指導支援システムサーバ７、保健指導クライアント８は、コンピュータである。コンピュータは、制御部、記憶部、通信制御部、入力部、表示部などが、バスを介して接続される。但し、コンピュータは、用途、目的に応じて様々な構成を採ることが可能である。例えば、コンピュータは、出力部として、プリンタ９などと接続される。
【００２７】
制御部は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。ＣＰＵは、記憶部、ＲＯＭ、記録媒体等に格納されるプログラムをＲＡＭ上のワークメモリ領域に呼び出して実行し、バスを介して接続された各装置を駆動制御する。ＲＯＭは、不揮発性メモリであり、コンピュータのブートプログラムやＢＩＯＳ等のプログラム、データ等を恒久的に保持している。ＲＡＭは、揮発性メモリであり、記憶部、ＲＯＭ、記録媒体等からロードしたプログラム、データ等を一時的に保持するとともに、制御部が各種処理を行う為に使用するワークエリアを備える。
【００２８】
記憶部は、ＨＤＤ（ハードディスクドライブ）であり、制御部が実行するプログラム、プログラム実行に必要なデータ等が格納される。プログラムに関しては、ＯＳに相当する制御プログラムや、後述の処理に相当するアプリケーションプログラムが格納されている。これらの各プログラムコードは、制御部により必要に応じて読み出されてＲＡＭに移され、ＣＰＵに読み出されて各種の手段として実行される。
【００２９】
通信制御部は、通信制御装置、通信ポート等を有し、コンピュータとネットワーク間の通信を媒介する通信インタフェースであり、ネットワークを介して、他のコンピュータとの通信制御を行う。入力部は、データの入力を行い、例えば、キーボード、マウス等のポインティングデバイス、テンキー等の入力装置を有する。表示部は、ＣＲＴモニタ、液晶パネル等のディスプレイ装置、ディスプレイ装置と連携してコンピュータのビデオ機能を実現するための論理回路等（ビデオアダプタ等）を有する。バスは、各装置間の制御信号、データ信号等の授受を媒介する経路である。
【００３０】
次に、図２〜図１０を参照しながら、本実施の形態の保健指導支援システム１で扱うデータについて説明する。
保健指導支援システム１で扱うデータには、保険者属性テーブル１１（図２）、受診資格テーブル１２（図４）、健診結果条件テーブル１３（図６）、健診者属性テーブル１４（図８）、健診者結果テーブル１５（図９）、受診資格判定テーブル１６（図１０）が含まれる。これらのテーブル１１〜１６は、保健指導システムサーバ７において管理されるものであるが、データの入出力は、保健指導クライアント８にて行うものとしてもよい。この場合、保健指導支援システムサーバ７は、入力されたデータを受信し、記憶部に格納したり、保健指導クライアント８からの要求に応じて、要求されたデータを保健指導クライアント８に送信したりする。また、保健指導クライアント８は、データベースサーバ４にアクセスして、必要なデータ（健診者属性テーブル１４、健診者結果テーブル１５等）を受信し、記憶部に格納する。
【００３１】
図２に示す保険者属性テーブル１１には、保険者についての属性情報が格納される。属性情報には、保険者番号５１、保険者名称５２、住所５３、電話番号５４、コメント５５等のデータ項目が含まれる。
【００３２】
保険者属性テーブル１１の各データ項目の内容は、図３に示す保険者登録画面２１にて入力される。保険者登録画面２１は、保険者属性登録エリア１０１、登録ボタン１０２、及び取消ボタン１０３を有する。
【００３３】
例えば図３に示すように、保険者登録画面２１の保険者属性登録エリア１０１の「保険者番号」欄に「０６１３１２３４」が入力され、「保険者名」欄に「日立健保」が入力され、「郵便番号欄」に「１０１−００００」が入力され、電話番号欄に「０３１１１１１１１１」が入力され、「住所」欄に「東京都千代田区外神田・・・」が入力され、「コメント」欄に「最重要顧客」等の保険者に関する特記事項が入力され、登録ボタン１０２が押下されると、これらの各データが、図２の保険者属性テーブル１１の対応する各データ項目に格納される。
【００３４】
図４の受診資格テーブル１２には、保険者の受診資格条件が格納される。受診資格条件とは、すでに階層化されている対象者から実際に指導を行う対象者を絞り込む条件として、保険者または施設が提示するものであり、例えば、性別５６、本配区分５７、年齢５８のような、健診者または保険者の属性に関する条件や、履歴による受診対象外条件（履歴対象外）５９、検査結果に関する条件（検査値基準６０）等を含む。
【００３５】
ここで、履歴による対象外条件（履歴対象外）５９とは、過去の保健指導の受診履歴に基づく今回の対象者からの除外条件であり、例えば、「前回」と設定されていれば、前回の健診で保健指導を受診した対象者は、今回の対象者からは除かれる。また、「過去受診あり」と設定されていれば、過去に保健指導の受診経験がある対象者は、今回の対象者からは除かれる。
また、検査値基準６０とは、検査結果に対し保険者が設定する基準であり、「なし」、または、図６の健診結果条件テーブル１３の分類コードが設定される。
なお、例示した受診資格条件は一例であり、これに限定されるものではない。      
【００３６】
受診資格テーブル１２の各データ項目の内容は、図５に示す受診資格設定画面２２にて入力される。受診資格設定画面２２は、保険者名称入力・表示エリア１０４、受診資格条件表示エリア１０５、受診資格条件入力エリア１０６等を有する。
【００３７】
保険者名称入力・表示エリア１０４には、入力された保険者番号の保険者名称が表示される。入力された保険者番号についての受診資格条件が、受診資格テーブル１２に格納されている場合は、その受診資格条件が受診資格条件表示エリア１０５に表示される。受診資格条件入力エリア１０６に新規に受診資格条件が入力され、登録ボタン１０２が押下されると、入力された受診資格条件が受診資格テーブル１２の対応する各データ項目に格納される。また、修正を行う場合は、受診資格条件表示エリア１０５に表示された受診資格条件のいずれかが選択されると、その受診資格条件が受診資格条件入力エリア１０６に表示される。表示された受診資格条件に対して、修正が行われ、登録ボタン１０２が押下されると、受診資格テーブル１２の内容が、修正された受診資格条件に更新される。
【００３８】
例えば図４に示す受診資格テーブル１２の保険者番号「０６１３１２３４」には、性別５６が「男女」、本配区分５７が「本人家族」、年齢５８が「４０〜７４歳」、履歴による対象外条件（履歴対象外）５９は「未設定」、検査値基準６０は「なし」という受診資格条件が格納されている。
【００３９】
図６の健診結果条件テーブル１３には、検査結果に対し、施設または保険者が設定する検査値基準（健診結果条件）が格納される。健診結果条件は、検査項目６２毎に、性別６３、年齢６４に応じた、下限値６５または上限値６６の基準値が設定される。分類コード６１は、健診結果条件の識別番号である。分類コード６１は、図４の受診資格テーブル１２の検査値基準６０にて参照される。
【００４０】
健診結果条件テーブル１３の各データ項目の内容は、図７に示す健診結果条件設定画面２３にて入力される。健診結果条件設定画面２３は、分類コード入力・表示エリア１０７、健診結果条件表示エリア１０８、健診結果条件入力エリア１０９、登録ボタン１０２、取消ボタン１０３を有する。
【００４１】
分類コード入力・表示エリア１０７には、入力された分類コード６１に対応する名称が表示される。また、分類コード６１に対応付けられている健診結果条件が、図６の健診結果条件テーブル１３に格納されている場合は、その健診結果条件が健診結果条件表示エリア１０８に表示される。健診結果条件入力エリア１０９に新規に健診結果条件が入力され、登録ボタン１０２が押下されると、入力された健診結果条件が、健診結果条件テーブル１３の対応する各データ項目に格納される。また、修正を行う場合は、健診結果条件表示エリア１０８に表示された健診結果条件のいずれかが選択されると、その健診結果条件が健診結果条件入力エリア１０９に表示される。表示された健診結果条件に対して、修正が行われ、登録ボタン１０２が押下されると、健診結果条件テーブル１３の内容が、修正された受診資格条件に更新される。
【００４２】
例えば図６に示す健診結果条件テーブル１３には、分類コード６１「０００１」、検査項目６２「収縮期血圧」、性別６３が「男女」、年齢６４「０〜９９９（全年齢）」、下限値６５が「１４０」、上限値６６が「９９９」という健診結果条件が格納されている。
【００４３】
図８の健診者属性テーブル１４、及び図９の健診者結果テーブル１５は、健診施設２のデータベースサーバ４に格納されており、保健指導支援システムサーバ７からの送信要求にしたがって、保健指導支援システムサーバ７に送信される。
【００４４】
図８に示す健診者属性テーブル１４には、各健診者についての健診者番号６７、健診者名６８、性別６９、年齢７０、所属保険者番号７１、保健指導レベル７２等の健診者の属性情報が格納される。例えば、図８に示すように、健診者番号６７「０００００００００１」には、健診者名６８「日立太郎」、性別６９「男」、年齢７０「４８」、所属保険者番号７１「０６１３１２３４」という属性情報が、健診システムサーバ３における階層化処理により決定された保健指導レベル７２「積極的支援」とともに格納されている。
【００４５】
図９に示す健診者結果テーブル１５には健診者番号６７、健診者名６８、健診受診日７３、検査結果６２等の、健診者結果情報が格納される。検査結果６２には、「収縮期血圧」、「拡張時血圧」のような各検査項目に対して、それぞれ「１４２」、「８３」のような結果データが格納される。例えば、健診者番号６７「０００００００００１」には、健診者名６８「日立太郎」、健診受診日７３「２００８／１１／１７」、検査結果６９（「収縮期血圧」が「１４２」、「拡張期血圧」が「８３」，・・・）が格納されている。
【００４６】
図１０に示す受診資格判定テーブル１６は、各健診者について保健指導の受診資格の有無の判定結果や、予約受付に関するステータス情報等を格納するテーブルであり、後述する予約登録処理（図１１）において、保健指導支援システムサーバ７により生成されるものである。
【００４７】
受診資格判定テーブル１６の属性資格７５、結果資格７６は、それぞれ受診資格の有無の判定結果を格納するデータ項目である。
属性資格７５は、健診者の属性（年齢、性別、履歴等）と受診資格テーブル１２に設定された受診資格条件（属性条件）との照合結果が格納される。
結果資格７６とは、健診者の検査結果と、受診資格テーブル１２に設定された検査基準値（すなわち健診結果条件テーブル１３に設定された検査結果条件）との照合結果が格納される。
受診資格条件を満たす場合は「○（受診資格あり）」、受診資格条件を満たさない場合は「×（受診資格無し）」が設定される。「−」は未設定を意味する。
【００４８】
例えば、図１０の受診資格判定テーブル１６では、健診者番号６７「０００００００００１」には、健診者名６８「日立太郎」、ステータス７４「未予約」、属性資格７５「○（受診資格あり）」、結果資格７６「未設定」が格納されている。すなわち、この健診者については、保険者との契約内容による受診資格条件（属性資格７５）を満たしている。また結果資格７６については、条件（検査値基準）が設定されていない。
【００４９】
次に、図１１を参照しながら、保健指導絵支援システム１における予約登録処理の詳細について説明する。
【００５０】
図１１は、予約登録処理の流れを示すフローチャートである。保健指導支援システムサーバ７の記憶部には、予約登録処理の実行に必要なプログラム及びデータが格納されており、保健指導クライアント８の制御部、保健指導支援システムサーバ７の制御部はそれぞれ記憶部から上述のプログラム及びデータを読み出し、図１１のフローチャートに従って各処理を実行する。
【００５１】
予約登録処理では、まず初期化処理として、保険者属性情報の登録、保険者の受診資格条件の登録、健診結果条件の登録が行われる（ステップＳ１００１〜ステップＳ１００３）。
【００５２】
具体的には、例えば、保健指導クライアント８におけるメニュー選択操作等により、[保険者属性登録]の開始指示が入力されると、保健指導クライアント８の制御部は、保健指導支援システムサーバ７から図３の保険者登録画面２１に関するデータを取得し、表示部に表示して、保険者属性の登録処理を受け付ける。保険者登録画面２１の保険者属性登録エリア１０１に、保険者属性情報である保険者番号５１、保険者名称５２、住所５３、電話番号５４、コメント５５等が入力され、登録ボタン１０２が押下されると、保健指導クライアント８の制御部は保健指導支援システムサーバ７に、入力された保険者属性情報を送信する。保健指導支援システムサーバ７は受信した保険者属性情報を保険者属性テーブル１１に格納する（ステップＳ１００１）。
【００５３】
保健指導クライアント８におけるメニュー選択操作等により、[保険者別受診資格登録]の開始指示が入力されると、保健指導クライアント８の制御部は、保健指導支援システムサーバ８から図５の受診資格設定画面２２に関するデータを取得し、表示部に表示して、受診資格条件の登録処理を受け付ける。また、保健指導クライアント８の制御部は、図４の受診資格テーブル１２を取得する。
【００５４】
図５の受診資格設定画面２２の保険者名称入力・表示エリア１０４に保険者番号が入力されると、保健指導クライアント８の制御部は、受診資格テーブル１２を検索し、該当する保険者番号に関する受診資格条件が格納されている場合は、受診資格条件表示エリア１０５に表示する。表示された受診資格条件のいずれかが選択されると、保健指導クライアント８の制御部は、選択された受診資格条件を受診資格条件入力エリア１０６に表示する。受診資格条件入力エリア１０６の各データ項目に対して、受診資格データが入力されると、保健指導クライアント８の制御部は、保健指導支援システムサーバ７に、受診資格条件を送信する。保健指導支援システムサーバ７は受信した受診資格条件を受診資格テーブル１２に格納する。
【００５５】
保険者名称入力・表示エリア１０４に対して入力された保険者番号が、受診資格テーブル１２に格納されていない場合は、新規に受診資格条件の入力を受け付ける。保健指導クライアント８の制御部は、入力された受診資格条件を保健指導支援システムサーバ７に送信する。保健指導支援システムサーバ７は、受信した受診資格条件を受診資格テーブル１２に格納する（ステップＳ１００２）。
【００５６】
保健指導クライアント８におけるメニュー選択操作等により、[健診結果条件登録]の開始指示が入力されると、保健指導クライアント８の制御部は、保健指導支援システムサーバ７から図７の健診結果条件設定画面２３に関するデータを取得し、表示部に表示する。また、保健指導クライアント８の制御部は、健診結果条件テーブル１３を取得する。
【００５７】
図７の健診結果条件設定画面２３の分類コード表示エリア１０７に分類コードが入力されると、保健指導クライアント８の制御部は、健診結果条件テーブル１３を検索し、該当する分類コードに関する健診結果条件がある場合は、健診結果条件情報表示エリア１０８に表示する。表示された健診結果条件のいずれかが選択されると、保健指導クライアント８の制御部は、選択された健診結果条件を健診結果条件入力エリア１０９に表示する。健診結果条件入力エリア１０９の各データ項目に対して健診結果条件が入力されると、保健指導クライアント８の制御部は、保健指導支援システムサーバ７に対して、入力された健診結果条件を送信する。保健指導支援システムサーバ７は、受信した健診結果条件を健診結果条件テーブル１３に格納する。
【００５８】
分類コード入力・表示エリア１０４に対して入力された分類コードが、健診結果条件テーブル１３に格納されていない場合は、新規に健診結果条件の入力を受け付ける。保健指導クライアント８の制御部は、入力された健診結果条件を保健指導支援システムサーバ７に送信する。保健指導支援システムサーバ７は、受信した健診結果条件を健診結果条件テーブル１３に格納する（ステップＳ１００３）。
【００５９】
保健指導クライアント８におけるメニュー選択操作等により、[健診者属性、健診結果データ取得]指示が入力されると、保健指導クライアント８の制御部は、保健指導支援システムサーバ７に対して健診結果の読み出し指示を送信する。保健指導支援システムサーバ７は、健診結果取り込みプログラムを起動して、データベースサーバ４にアクセスし、健診者（対象者を含む）に関する属性情報や健診結果を読み出し、健診者属性テーブル１４及び健診者結果テーブル１５に格納する（ステップＳ１００４）。
【００６０】
ステップＳ１００１〜ステップＳ１００４の処理によって、保険者属性情報、保険者別受診資格条件、及び健診結果条件が登録され、データベースサーバ４から健診者属性情報や健診結果情報を取得すると、保健指導支援システムサーバ７の制御部は、各健診者について受診資格の有無を判定する（ステップＳ１００５）。
【００６１】
ステップＳ１００５において、保健指導支援システムサーバ７の制御部は、受診資格条件（受診資格テーブル１２の「性別」５６、「本配区分」５７、「年齢」５８等）と、対象者の属性情報（健診者属性テーブル１２の「性別」６９、「年齢」７０、「所属保険者番号」７１等）とを、照合する。そして、対象者の属性情報が、保険者の定める受診資格条件を満たす場合は、受診資格判定テーブル１６の該当する対象者についてのデータ項目「属性資格７５」に「○（受診資格あり）」を格納し、受診資格条件を満たさない場合は「×（受診資格無し）」を格納する。
【００６２】
また、ステップＳ１００５において、保健指導支援システムサーバ７の制御部は、検査結果に関する受診資格条件（受診資格テーブル１２の検査値基準６０及び健診結果条件テーブル１３）と、対象者の健診者結果テーブル１５の「検査結果（収縮期血圧、拡張時血圧、・・・）」６２とを、照合する。そして、対象者の検査結果情報が、保険者または施設が定めた検査値基準を満たす場合は、受診資格判定テーブル１６の該当する対象者についてのデータ項目「結果資格７６」に「○（受診資格あり）」を格納し、検査値基準を満たさない場合は「×（受診資格無し）」を格納する。
【００６３】
ステップＳ１００５における受診資格の判定が終了し、次に、保健指導クライアント８におけるメニュー選択操作等により、[保健指導対象者表示]指示が入力されると、保健指導クライアント８の制御部は、保健指導支援システムサーバ７から、図１２に示す保健指導対象者表示画面２４の表示データを受信し、表示部に表示する。
【００６４】
保健指導対象者表示画面２４は、表示条件設定エリア１１０、対象者表示エリア１１１、表示ボタン１１２、予約ボタン１１３、指導ボタン１４、取消ボタン１０３を有する。表示条件設定エリア１１０に対して所望の表示条件が設定されると、後述するフィルタ処理が行われ、結果が対象者表示エリア１１１に表示される。
【００６５】
ステップＳ１００６〜ステップＳ１０１４の各段階における検索及びフィルタ処理は、上述の保健指導対象者表示画面２４への入力操作に応じて行われる。
【００６６】
保健指導対象者表示画面２４において、保健指導レベル選択チェックボックス１１０ａのいずれか一つまたは複数を選択して表示ボタン１１２が押下された場合（ステップＳ１００６；あり）、保健指導クライアント８の制御部は、健診者属性テーブル１４（図８）を検索して、選択された保健指導レベル７２を有するレコードを抽出し、抽出結果をＲＡＭに保持する（ステップＳ１００７：フィルタ起動）。
【００６７】
また、保健指導対象者表示画面２４の表示条件設定エリア１１０の「保険者」欄、「健診受診日」欄、「カナ氏名」欄、「性別」欄、「生年月日」欄等の属性条件入力欄１１０ｂにおいて、健診者または保険者の属性情報に関する検索条件が入力され、表示ボタン１１２が押下された場合（ステップＳ１００８；あり）、保健指導クライアント８の制御部は、ステップＳ１００７の抽出結果について、更に入力された検索条件で絞込み処理を行い、検索結果をＲＡＭに保持する（ステップＳ１００９：フィルタ起動）。
【００６８】
保健指導対象者表示画面２４の表示条件設定エリア１１０には、受診資格条件入力欄１１０ｃが設けられている。受診資格条件入力欄１１０ｃには、「全員」または「受診資格者」のどちらを表示するかを選択するラジオボタンが設けられている。
【００６９】
受診資格条件入力欄１１０ｃにおいて、「受診資格者」のラジオボタンにチェックが入力されると（ステップＳ１０１０；あり）、保健指導クライアント８の制御部は、ステップＳ１００７及びステップＳ１００９における検索結果から、受診資格のある対象者を絞り込んで表示する。すなわち、保健指導クライアント８の制御部は、受診資格判定テーブル１６の属性資格７５及び結果資格７６に、「○（受診資格あり）」または「−（未設定）」が格納されている健診者のみを、ステップＳ１００７及びステップＳ１００９における検索結果から抽出し（ステップＳ１０１１；フィルタ起動）、抽出結果を対象者表示エリア１１１に一覧表示する（ステップＳ１０１２）。
【００７０】
保健指導対象者表示画面２４の表示条件設定エリア１１０の受診資格条件入力欄１１０ｃにおいて、「全員」のラジオボタンにチェックが入力された場合には（ステップＳ１０１０；なし）、受診資格の有無による抽出は行わない。ただし、ステップＳ１０１２における受診資格者表示ステップにおいて、受診資格判定テーブル１６の属性資格７５及び結果資格７６の両方に「×」が格納されている保健指導対象者には、「非」マークを付す等、受診資格がない旨を示すための識別表示を行う。
【００７１】
更に、保健指導対象者表示画面２４の表示条件設定エリア１１０の未予約チェックボックス１１０ｄにチェックが入力されている場合は（ステップＳ１０１３；あり）、保健指導クライアント８の制御部は、対象者表示エリア１１１に表示されている対象者のうち、受診資格判定テーブル１６（図１０）のステータス７４が「未予約」の健診者のみを抽出表示する。（ステップＳ１０１４）。
【００７２】
次に、保健指導対象者表示画面２４の対象者表示エリア１１１に表示されている対象者のいずれかが選択され、予約ボタン１１３が押下されると（ステップＳ１０１５）、予約処理へ移行する（ステップＳ１０１６）。ここで、対象者表示エリア１１１に表示されている対象者のうち、「非」マークが付されている非該当者が選択された場合は、保健指導クライアント８の制御部は、保健指導対象者ではないことを示す警告メッセージの表示等を行うようにしてもよい。
【００７３】
予約処理において、保健指導クライアント８の制御部は、図１３に示す予約登録画面２５を表示部に表示する。予約登録画面２５には、対象者属性情報表示エリア１１５、指導プログラム詳細表示エリア１１６、健診結果表示エリア１１７、登録ボタン１０２、指導ボタン１１４、取消ボタン１０３が表示される。
【００７４】
対象者属性情報表示エリア１１５には、対象者の属性情報（図８の健診者属性テーブル１４または図９の健診者結果テーブル１５の健診者名６８、性別６９、年齢７０、健診受診日７３）が表示される。指導プログラム詳細表示エリア１１６では、指導対象者が所属する保険者により提供される保健指導コースや料金情報等が表示される。健診結果表示エリア１１７には、指導対象者の保健指導レベル階層化に使用した健診結果が表示される。
【００７５】
操作者により予約登録画面２５の内容が確認され、登録ボタン１０２が押下されると、保健指導クライアント８は予約指示を保健指導支援システムサーバ７に送信する。保健指導支援システムサーバ７は、保健指導クライアント８から予約指示を受信すると、受診資格テーブル１６の該当する健診者のステータス７４を「予約済」に更新する。
また保健指導支援システムサーバ７または保健指導クライアント８は、予約に際して必要な帳票の発行等を行う。
【００７６】
また、図１２の保健指導対象者表示画面２４または図１３の予約登録画面２５の、指導ボタン１１４が押下されると、保健指導クライアント８は、保健指導支援システムサーバ７に指導プログラム要求を送信する。保健指導支援システムサーバ７は、要求に応じて目標設定画面データを保健指導クライアント８に送信する。保健指導クライアント８は、図１４に示す目標設定画面２６を表示部に表示する。
【００７７】
図１４に示す目標設定画面２６には、対象者属性情報表示エリア１１５、目標設定エリア１１８、登録ボタン１０２、取消ボタン１０３が表示される。
対象者属性情報表示エリア１１５には、対象者の属性（健診者名６８、性別６９、生年月日、年齢７０、健診受診日７３等）が表示される。目標設定エリア１１８は、対象者の検査値目標や行動目標、行動計画を入力するエリアである。操作者により、目標設定画面２６の内容が確認もしくは修正された後、登録ボタン１０２が押下されると、保健指導クライアント８は、対象者の検査値目標、行動目標、行動計画等を保健指導支援システムサーバ８に送信する。保健指導支援システムサーバ８は、受診した検査値目標、行動目標、行動計画等を、初回面談時の目標として、指導プログラムテーブル（不図示）に登録する。
【００７８】
以上説明したように、本実施の形態の保健指導支援システム１において、保健指導支援システムサーバ７及び保健指導クライアント８は、保険者や健診施設から提示される受診資格条件（属性条件、健診結果条件、または履歴に関する条件を含む）の設定登録を受け付ける。また、保健指導支援システムサーバ７は、データベースサーバ４から健診者に関する属性情報、健診結果情報、保健指導レベル階層化情報等を取得する。そして、保健指導支援システムサーバ７は、設定された受診資格条件に基づいて、対象者の受診資格の有無を判定し、判定結果を受診資格テーブル１６に格納する。受診資格テーブル１６には、受診資格の有無の情報とともに、予約、受付、指導等の進捗状況を示すステータス情報７４が格納される。
【００７９】
また、保健指導クライアント８において対象者の検索・表示処理を行う際、保健指導対象者表示画面２４に対して、保健指導レベル、属性情報を検索条件として、絞込み（フィルタ）処理を行い、検索結果を表示する。
このとき、絞り込まれた対象者を「全員」表示するか、「受診資格者」のみ表示するかを、選択可能とし、「受診資格者」が選択された場合は、受診資格のある対象者のみを一覧表示する。「全員」が選択された場合は、受診資格の有無に関わらず、検索条件を満たす対象者を全て一覧表示する。ただし、このとき、受診資格のない対象者については、その旨を示す識別表示を行う。
また、「未予約のみ」を表示する指示がある場合は、受診資格テーブル１６に格納されたステータス情報７４に基づいて、「未予約」の対象者のみを抽出して表示する。
【００８０】
したがって、保健指導の対象者について、様々な受診資格条件が設定されている場合にも、受診資格の有無が自動的に判定され、表示されるので、保健指導の予約や受付における業務が簡略化される。そのため、事務作業の負担を軽減できる。
【００８１】
なお、本実施の形態では、保健指導の受診資格に関する条件として、属性（性別、年齢、保険者との契約内容等）に関する条件や、検査値基準（健診結果条件）、或いは、受診履歴に関する条件（履歴対象外）等を設定可能とする例を示したが、条件はこれに限定されるものではない。
例えば、健診システムサーバ３で予め階層化された対象者について、所定の優先順位を設け、優先順位の高い対象者を優先的に予約登録するとしてもよい。
この場合、年齢の低い人や、階層化の検査値基準との差異が小さい人、或いは、本人意思（本人の受診希望）がある人の優先順位を高く設定すれば、保健指導の効果を期待できる。
また、優先順位によって対象者数が一定の割合（例えば、全健診者数の３割等）となるように抽出することも可能となる。
【００８２】
また、上述の実施の形態の予約登録処理では、保健指導支援システムサーバ７と保健指導クライアント８との間でネットワーク１０を介して、種々のデータを送受信しながら、受診資格に関する条件の設定や登録、受診資格の判定、予約処理、或いは結果の表示を行うものとしたが、このような形態に限定されるものではなく、保健指導支援システム７または保健指導クライアント８のローカルな処理で上述の予約登録処理を行うようにしてもよい。
【００８３】
以上、添付図面を参照しながら、本発明に係る保健指導支援システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００８４】
１・・・・・保健指導支援システム
２・・・・・健診施設
３・・・・・健診システムサーバ
４・・・・・データベースサーバ
５・・・・・健診クライアント
６・・・・・ネットワーク
７・・・・・保健指導支援システムサーバ
８・・・・・保健指導クライアント
９・・・・・プリンタ
１０・・・・・ネットワーク
１１・・・・・保険者属性テーブル
１２・・・・・受診資格テーブル
１３・・・・・健診結果条件テーブル
１４・・・・・健診者属性テーブル
１５・・・・・健診者結果テーブル
１６・・・・・受診資格判定テーブル
２１・・・・・保険者登録画面
２２・・・・・受診資格設定画面
２３・・・・・健診結果条件設定画面
２４・・・・・保健指導対象者表示画面
２５・・・・・予約登録画面
２６・・・・・目標設定画面
【図１】
2010191501.tif 000003
【図２】
2010191501.tif 000004
【図３】
2010191501.tif 000005
【図４】
2010191501.tif 000006
【図５】
2010191501.tif 000007
【図６】
2010191501.tif 000008
【図７】
2010191501.tif 000009
【図８】
2010191501.tif 000010
【図９】
2010191501.tif 000011
【図１０】
2010191501.tif 000012
【図１１】
2010191501.tif 000013
【図１２】
2010191501.tif 000014
【図１３】
2010191501.tif 000015
【図１４】
2010191501.tif 000016